(57)【特許請求の範囲】
【請求項１】
ローディングユニットであって、該ローディングユニットは、
ハウジングと、
該ハウジング内に動作可能に保持されているステープルプッシャーアセンブリと、
該ハウジング内に動作可能に保持されているナイフアセンブリと、
該ハウジングの遠位端に配置されているカートリッジアセンブリであって、該カートリッジアセンブリは、環状の並びのステープルを支持している、カートリッジアセンブリと、
該カートリッジアセンブリに隣接して動作可能に配置されているシッピングアセンブリと
を含み、該シッピングアセンブリは、
ハウジングに選択的に固定されているシッピング部材と、
該シッピング部材内にスライド可能に配置されている係止部材と
を含み、該係止部材は、該シッピング部材が該ハウジングに固定されている近位位置と該シッピング部材が該ハウジングから取り外し可能である遠位位置との間を移動可能である、ローディングユニット。
【請求項２】
前記シッピング部材は、ステープル保持表面を有するベース部分を含み、該ステープル保持表面は、前記複数のステープルを前記カートリッジアセンブリ内に保持するために、該カートリッジアセンブリに隣接して位置決めされている、請求項１に記載のローディングユニット。
【請求項３】
前記シッピング部材は、１対のレッグを有する内側環状延長部を含み、該対のレッグの各々は、前記シッピングアセンブリを前記ハウジングに固定するために、該ハウジングを選択的に係合するように構成されている、請求項１に記載のローディングユニット。
【請求項４】
前記シッピング部材は、外側環状延長部を含み、該外側環状延長部は、少なくとも１つのシェルフと少なくとも１つのレッグとを有し、該少なくとも１つのシェルフは、前記ナイフアセンブリの移動を防止するために該ナイフアセンブリを係合し、少なくとも１つの外側レッグは、前記プッシャーアセンブリの移動を防止するために該プッシャーアセンブリを係合する、請求項１に記載のローディングユニット。
【請求項５】
前記シッピング部材は、フランジ部分を含み、該フランジ部分は、ユーザーによる動作可能な係合のために構成されている、請求項１に記載のローディングユニット。
【請求項６】
前記シッピングアセンブリは、導入器部材をさらに含み、該導入器部材は、前記フランジ部分に選択的に固定可能である、請求項５に記載のローディングユニット。
【請求項７】
前記導入器部材は、円錐形の形状を含む、請求項６に記載のローディングユニット。
【請求項８】
前記導入器部材は、回収糸を受け取るためのスルーボアを含む、請求項６に記載のローディングユニット。
【請求項９】
前記シッピング部材は、導入器部分を含む、請求項１に記載のローディングユニット。
【請求項１０】
外科手術ステープラーのローディングユニットのためのシッピングアセンブリであって、該シッピングアセンブリは、
ベース部分と、該ベースから遠位方向に延びているフランジと、該ベースから近位方向に延びている内側環状延長部とを含むシッピング部材と、
該環状延長部内にスライド可能に配置されている係止部材と
を含み、該係止部材は、該シッピング部材がローディングユニットに固定されている近位位置と該シッピング部材がローディングユニットから取り外し可能である遠位位置との間を移動可能である、アセンブリ。
【請求項１１】
外側環状延長部をさらに含み、該外側環状延長部は、少なくとも１つのシェルフと、該シェルフを越えて延びている少なくとも１つのレッグとを有する、請求項１０に記載のアセンブリ。
【請求項１２】
前記ベース部分は、複数のステープルをローディングユニットのカートリッジ内に保持するためのステープル保持表面を含む、請求項１０に記載のアセンブリ。
【請求項１３】
前記フランジに選択的に固定可能である導入器部材をさらに含む、請求項１０に記載のアセンブリ。
【請求項１４】
前記導入器部材は、円錐形の形状を含む、請求項１３に記載のアセンブリ。
【請求項１５】
前記導入器部材は、回収糸を受け取るためのスルーボアを含む、請求項１３に記載のアセンブリ。
【発明の詳細な説明】
【技術分野】
【０００１】
背景
技術分野
本開示は、交換可能なローディングユニットを含む外科手術ステープル留めデバイスに関する。より詳しくは、本開示は、シッピングアセンブリを含む交換可能なローディングユニットに関する。
【背景技術】
【０００２】
関連技術の背景
ステープル、クリップ、または他のファスナーを組織に適用するための外科手術デバイスは、周知である。外科手術ファスナーを適用するための内視鏡外科手術デバイスは、デバイスを作動させるためのハンドルアセンブリと、内視鏡アクセスのためのシャフトと、シャフトの遠位端に配置されているツールアセンブリとを含む。これらのデバイスのうちの特定のものは、交換可能なローディングユニットとの使用のために設計され、この交換可能なローディングユニットは、ツールアセンブリを含み、ステープルまたはファスナーを収容する。交換可能なローディングユニットは、様々なサイズのステープルを含み得、ステープルは、１つ以上の構成で配置され得る。交換可能なローディングユニットを有するステープラーを発射した後、ユーザーは、空のローディングユニットを取り外し得、別のローディングユニットを選択して、それをステープラーに取り付け得、再びステープラーを発射し得る。このプロセスは、外科手術手順中、繰り返し実施され得る。
【０００３】
多くのローディングユニットは、代表的に、ステープルカートリッジと、ステープルプッシャーアセンブリと、ナイフアセンブリとを含む。いくつかのローディングユニットにおいて、ステープルプッシャーおよびナイフアセンブリは、単一のアセンブリの中に含まれる。ステープルプッシャーアセンブリおよびナイフアセンブリは、一般に１つ以上の移動可能な部品を含み、１つ以上の移動可能な部品は、作動ユニットの１つ以上の駆動部材を係合するように位置決めされている。作動ユニットへのローディングユニットの取り付け前、および作動ユニットへのローディングユニットの取り付け中、移動可能な部品が適切な位置に保持されていない場合、ローディングユニットは、作動ユニットを適切に係合しない場合がある。いくつかのローディングユニットは、自動係止システムを備え、この自動係止システムは、作動ユニットへのローディングユニットの取り付け前のローディングユニットの構成要素の移動を妨げ、ローディングユニットが作動ユニットに取り付けられると、ローディングユニットの移動可能な部品の自由な移動を可能にする。しかし、これらの自動係止システムは、ローディングユニットの作動前、ステープルをステープルカートリッジ内に保持するように構成されていない。さらに、これらの係止システムは、ローディングユニットが作動ユニットに取り付けられた後、ローディングユニットの位置決めを容易にするように構成されていない。
【０００４】
従って、ローディングユニットの移動可能な部品を維持するように構成され、かつステープルをステープルカートリッジ内に維持するように構成されているシッピング部材を有することは、有益である。ローディングユニットが作動ユニットに取り付けられた後、ローディングユニットの位置決めを容易にするように構成されているシッピング部材を有することは、さらに有益である。
【発明の概要】
【課題を解決するための手段】
【０００５】
概要
従って、シッピングアセンブリを含むローディングユニットが提供される。ローディングユニットは、ハウジングと、ハウジング内に動作可能に保持されているステープルプッシャーアセンブリと、ハウジング内に動作可能に保持されているナイフアセンブリと、ハウジングの遠位端に配置されているカートリッジアセンブリとを含み、このカートリッジアセンブリは、環状の並びのステープルを支持している。シッピングアセンブリは、カートリッジアセンブリに隣接して動作可能に配置されている。シッピングアセンブリは、ハウジングに選択的に固定されているシッピング部材と、シッピング部材内にスライド可能に配置されている係止部材とを含む。係止部材は、シッピング部材がハウジングに固定されている近位位置とシッピング部材がハウジングから取り外し可能である遠位位置との間を移動可能である。
【０００６】
実施形態において、シッピング部材は、ステープル保持表面を有するベース部分を含み、このステープル保持表面は、複数のステープルをカートリッジアセンブリ内に保持するために、カートリッジアセンブリに隣接して位置決めされている。シッピング部材は、１対のレッグを有する内側環状延長部を含み得、１対のレッグの各々は、シッピングアセンブリをハウジングに固定するために、ハウジングを選択的に係合するように構成されている。シッピング部材は、外側環状延長部を含み得、この外側環状延長部は、少なくとも１つのシェルフと少なくとも１つのレッグとを有し、少なくとも１つのシェルフは、ナイフアセンブリの移動を防止するためにナイフアセンブリを係合し、少なくとも１つの外側レッグは、プッシャーアセンブリの移動を防止するためにプッシャーアセンブリを係合する。シッピング部材は、フランジ部分を含み得、このフランジ部分は、ユーザーによる動作可能な係合のために構成されている。
【０００７】
いくつかの実施形態において、シッピングアセンブリは、導入器部材を含み、この導入器部材は、フランジ部分に選択的に固定可能である。導入器部材は、円錐形の形状を含み得る。導入器部材は、回収糸を受け取るためのスルーボアを含み得る。導入器部材は、管腔を通したローディングユニットの挿入を容易にするように構成され得る。シッピング部材は、導入器部分を含み得る。
【０００８】
ローディングユニットのためのシッピングアセンブリも提供される。シッピングアセンブリは、ベース部分と、ベースから遠位方向に延びているフランジと、ベースから近位方向に延びている内側環状延長部とを有するシッピング部材と、環状延長部内にスライド可能に配置されている係止部材とを含み、係止部材は、シッピング部材がローディングユニットに固定されている近位位置とシッピング部材がローディングユニットから取り外し可能である遠位位置との間を移動可能である。
【０００９】
シッピングアセンブリは、外側環状延長部をさらに含み得、外側環状延長部は、少なくとも１つのシェルフと、シェルフを越えて延びている少なくとも１つのレッグとを有する。ベース部分は、複数のステープルをローディングユニットのカートリッジ内に保持するためのステープル保持表面を含み得る。シッピングアセンブリは、フランジに選択的に固定可能である導入器部材も含み得る。導入器部材は、円錐形の形状を含み得る。いくつかの実施形態において、導入器部材は、回収糸を受け取るためのスルーボアを含む。
【００１０】
本発明は、例えば以下の項目を提供する。
（項目１）
ローディングユニットであって、該ローディングユニットは、
ハウジングと、
該ハウジング内に動作可能に保持されているステープルプッシャーアセンブリと、
該ハウジング内に動作可能に保持されているナイフアセンブリと、
該ハウジングの遠位端に配置されているカートリッジアセンブリであって、該カートリッジアセンブリは、環状の並びのステープルを支持している、カートリッジアセンブリと、
該カートリッジアセンブリに隣接して動作可能に配置されているシッピングアセンブリと
を含み、該シッピングアセンブリは、
ハウジングに選択的に固定されているシッピング部材と、
該シッピング部材内にスライド可能に配置されている係止部材と
を含み、該係止部材は、該シッピング部材が該ハウジングに固定されている近位位置と該シッピング部材が該ハウジングから取り外し可能である遠位位置との間を移動可能である、ローディングユニット。
（項目２）
上記シッピング部材は、ステープル保持表面を有するベース部分を含み、該ステープル保持表面は、上記複数のステープルを上記カートリッジアセンブリ内に保持するために、該カートリッジアセンブリに隣接して位置決めされている、上記項目に記載のローディングユニット。
（項目３）
上記シッピング部材は、１対のレッグを有する内側環状延長部を含み、該対のレッグの各々は、上記シッピングアセンブリを上記ハウジングに固定するために、該ハウジングを選択的に係合するように構成されている、上記項目のうちのいずれか一項に記載のローディングユニット。
（項目４）
上記シッピング部材は、外側環状延長部を含み、該外側環状延長部は、少なくとも１つのシェルフと少なくとも１つのレッグとを有し、該少なくとも１つのシェルフは、上記ナイフアセンブリの移動を防止するために該ナイフアセンブリを係合し、少なくとも１つの外側レッグは、上記プッシャーアセンブリの移動を防止するために該プッシャーアセンブリを係合する、上記項目のうちのいずれか一項に記載のローディングユニット。
（項目５）
上記シッピング部材は、フランジ部分を含み、該フランジ部分は、ユーザーによる動作可能な係合のために構成されている、上記項目のうちのいずれか一項に記載のローディングユニット。
（項目６）
上記シッピングアセンブリは、導入器部材をさらに含み、該導入器部材は、上記フランジ部分に選択的に固定可能である、上記項目のうちのいずれか一項に記載のローディングユニット。
（項目７）
上記導入器部材は、円錐形の形状を含む、上記項目のうちのいずれか一項に記載のローディングユニット。
（項目８）
上記導入器部材は、回収糸を受け取るためのスルーボアを含む、上記項目のうちのいずれか一項に記載のローディングユニット。
（項目９）
上記導入器部材は、管腔を通した上記ローディングユニットの挿入を容易にするように構成されている、上記項目のうちのいずれか一項に記載のローディングユニット。
（項目１０）
上記シッピング部材は、導入器部分を含む、上記項目のうちのいずれか一項に記載のローディングユニット。
（項目１１）
外科手術ステープラーのローディングユニットのためのシッピングアセンブリであって、該シッピングアセンブリは、
ベース部分と、該ベースから遠位方向に延びているフランジと、該ベースから近位方向に延びている内側環状延長部とを含むシッピング部材と、
該環状延長部内にスライド可能に配置されている係止部材と
を含み、該係止部材は、該シッピング部材がローディングユニットに固定されている近位位置と該シッピング部材がローディングユニットから取り外し可能である遠位位置との間を移動可能である、アセンブリ。
（項目１２）
外側環状延長部をさらに含み、該外側環状延長部は、少なくとも１つのシェルフと、該シェルフを越えて延びている少なくとも１つのレッグとを有する、上記項目のうちのいずれか一項に記載のアセンブリ。
（項目１３）
上記ベース部分は、複数のステープルをローディングユニットのカートリッジ内に保持するためのステープル保持表面を含む、上記項目のうちのいずれか一項に記載のアセンブリ。
（項目１４）
上記フランジに選択的に固定可能である導入器部材をさらに含む、上記項目のうちのいずれか一項に記載のアセンブリ。
（項目１５）
上記導入器部材は、円錐形の形状を含む、上記項目のうちのいずれか一項に記載のアセンブリ。
（項目１６）
上記導入器部材は、回収糸を受け取るためのスルーボアを含む、上記項目のうちのいずれか一項に記載のアセンブリ。
【００１１】
（摘要）
シッピングアセンブリを含むローディングユニットが提供される。シッピングアセンブリは、カートリッジアセンブリを用いてステープルを保持するために、カートリッジアセンブリに隣接して動作可能に受け取られる。シッピングアセンブリは、ローディングユニットに選択的に固定されているシッピング部材と、シッピング部材内にスライド可能に配置されている係止部材とを含む。係止部材は、シッピング部材がハウジングに固定されている近位位置とシッピング部材がハウジングから取り外し可能である遠位位置との間を移動可能である。
【００１２】
本明細書中に組み込まれ、本明細書の一部を構成する添付の図面は、本開示の実施形態を例示し、上に与えられた本開示の概略的な説明および下に与えられる実施形態（複数可）の詳細な説明と一緒に、本開示の原理を説明するために役立つ。
【図面の簡単な説明】
【００１３】
【図１】図１は、本開示の実施形態に従うシッピングキャップアセンブリを含む、本開示の実施形態に従うローディングユニットの斜視側面図である。
【図２】図２は、導入器部材が取り外されている、図１に示されるローディングユニットおよびシッピングキャップアセンブリの斜視図である。
【図３】図３は、図１に示されるローディングユニットおよびシッピングキャップアセンブリの斜視部分的分解図である。
【図４】図４は、図１に示されるローディングユニットの斜視分解図である。
【図５】図５は、図１に示されるローディングユニットの断面側面図である。
【図６】図６は、図１に示されるシッピングキャップアセンブリの斜視図である。
【図７】図７は、図１に示されるシッピングキャップアセンブリの分解斜視図である。
【図８】図８は、図８に示されるシッピングキャップアセンブリの斜視端面図である。
【図９】図９は、図７に示される線９−９に沿って得られる断面側面図である。
【図１０】図１０は、図８に示される線１０−１０に沿って得られる断面側面図である。
【図１１】図１１は、図７に示される指示された詳細領域の拡大された図である。
【図１２】図１２は、図１０に示される指示された詳細領域の拡大された図である。
【図１３】図１３は、図１０に示される線１３−１３に沿って得られる断面側面図である。
【図１４】図１４は、ローディングユニットへのシッピングキャップアセンブリの取り付け前の、図１に示されるローディングユニットおよびシッピングキャップアセンブリの断面側面図である。
【図１５】図１５は、ローディングユニットへのシッピングキャップアセンブリの取り付け後の図１４に示される断面側面図である。
【図１６】図１６は、図１５に示される指示された目的領域の拡大された図である。
【図１７】図１７は、シェルおよびプッシャーアセンブリが取り外されている、図１に示されるローディングユニットおよびシッピングキャップアセンブリの斜視図である。
【図１８】図１８は、図１７に示される線１８−１８に沿って得られる断面端面図である。
【図１９】図１９は、図１８に示される線１９−１９に沿って得られる断面側面図である。
【図２０】図２０は、図１８に示される線２０−２０に沿って得られる断面側面図である。
【図２１】図２１は、ローディングユニットからのシッピングキャップアセンブリの分離前の図１４に示される断面側面図である。
【図２２】図２２は、本開示の代替の実施形態に従うシッピングキャップアセンブリを含む、本開示の代替の実施形態に従うローディングユニットの斜視図である。
【図２３】図２３は、図２２に示されるシッピングキャップアセンブリの斜視図である。
【図２４】図２４は、本開示の別の実施形態に従うシッピングキャップアセンブリを含む、本開示の別の実施形態に従うローディングユニットの斜視図である。
【図２５】図２５は、図２４に示されるシッピングキャップアセンブリの斜視図である。
【図２６】図２６は、図２４に示されるローディングユニットおよびシッピングキャップアセンブリの断面側面図である。
【発明を実施するための形態】
【００１４】
詳細な説明
次に、シッピング部材を含む本開示のローディングユニットの実施形態が、図面を参照して詳細に記載され、図面において、類似の参照数字は、数枚の図の各々における、同一の要素または対応する要素を表す。当該分野において一般的であるように、用語「近位」は、ユーザーまたは操作者、すなわち、外科医または臨床家により近い部分または構成要素を指し、他方、用語「遠位」は、ユーザーからより遠くに離れた部分または構成要素を指す。
【００１５】
図１〜図３を参照すると、本開示の実施形態に従う交換可能なローディングユニットが、全体的にローディングユニット１００として示され、この交換可能なローディングユニットは、全体的にシッピングキャップアセンブリ２００として示されている本開示の実施形態に従うシッピングアセンブリを含む。ローディングユニット１００は、外科手術ステープル留めデバイス（示されない）への動作可能な接続のために構成されており、環状の並びの外科手術ステープルを発射し、かつ形成するように構成されている。シッピングキャップアセンブリ２００は、ローディングユニット１００の遠位端１０２において選択的に受け取られ、ステープル「Ｓ」（図４）をローディングユニット１００のステープルカートリッジ１２０内に維持するために動作する。シッピングキャップアセンブリ２００は、ステープル留めデバイス（示されない）の作動ユニット（示されない）、またはステープル留めデバイス（示されない）の作動ユニット（示されない）に接続されているアダプターアセンブリ（示されない）へのローディングユニット１００の取り付け前および取り付け中に、ローディングユニット１００のステープルプッシャーアセンブリ１３０（図４）、およびローディングユニット１００のナイフアセンブリ１４０（図４）の早すぎる前進を防止するように動作する。
【００１６】
ローディングユニット１００は、シッピングキャップアセンブリ２００に関連して記載され、シッピングキャップアセンブリ２００は、ローディングユニット１００に関連して記載されるが、異なる構成を有するローディングユニットおよびシッピングキャップアセンブリとの使用のために、本開示の局面が改変され得ることが想定される。ローディングユニット１００は、本開示の局面を完全に開示するために必要な程度まで記載されるのみである。例示的なローディングユニットのより詳細な記載について、共有に係る米国特許出願公開第２０１３／０１８１０３５号（その内容は、その全体が本明細書中で参考として援用される）を参照されたい。
【００１７】
次に図４および図５を参照すると、ローディングユニット１００は、ハウジング１１０と、ハウジング１１０の遠位端１１０ｂに固定されているステープルカートリッジ１２０と、ハウジング１１０内に動作可能に受け取られているステープルプッシャーアセンブリ１３０と、ハウジング１１０内に動作可能に受け取られているナイフアセンブリ１４０と、ハウジング１１０の近位端１１０ａ内に受け取られているブッシング部材１５０と、ブッシング部材１５０の周りに取り付けられているチップアセンブリ１６０と、ハウジング１１０の近位端１１０ａに選択的に固定可能であるカバー部材１７０とを含む。
【００１８】
ローディングユニット１００のハウジング１１０は、外側円筒形部分１１２と内側円筒形部分１１４とを含む。複数のリブ（示されない）が、外側円筒形部分１１２と内側円筒形部分１１４とを相互接続する。ハウジング１１０の内側円筒形部分１１４および外側円筒形部分１１２は、同軸であり、それらの間に凹部１１３（図５）を規定し、この凹部１１３は、ステープルプッシャーアセンブリ１３０およびナイフアセンブリ１４０を動作可能に受け取るように構成されている。ハウジング１１０の内側円筒形部分１１２は、その内側表面に沿って延びている複数の長手方向リッジ１１６（図５）を含み、複数の長手方向リッジ１１６は、ステープル留め手順中にアンビルアセンブリ（示されない）をローディングユニット１００と整列させるために構成されている。さらに詳細に下に記載されるように、長手方向リッジ１１６の近位端１１６ａは、ローディングユニット１００とのシッピングキャップアセンブリ２００の選択的な固定を容易にするように構成されている。環状リッジ１１８（図５）は、内側円筒形部分１１４の外側表面上に形成され、ナイフアセンブリ１４０を後退位置に維持することを助けるように構成されている。
【００１９】
ハウジング１１０の近位端１１０ａは、ステープル留めデバイス（示されない）の作動ユニット（示されない）、またはステープル留めデバイス（示されない）の作動ユニット（示されない）に接続されているアダプターアセンブリ（示されない）への選択的な接続のために構成されている。ローディングユニット１００のハウジング１１０は、作動ユニットおよび／もしくはアダプターアセンブリへの差込みカップリングのために、または任意の他の適切な態様での作動ユニットおよび／もしくはアダプターアセンブリへの接続のために構成され得る。
【００２０】
ローディングユニット１００のステープルカートリッジ１２０は、ハウジング１１０の遠位端１１０ｂに配置され、複数のステープルポケット１２１を含み、複数のステープルポケット１２１は、ステープル「Ｓ」を選択的に保持するように構成されている。ステープルカートリッジ１２０は、ハウジング１１０に選択的に固定され、ステープルカートリッジ１２０の交換を可能にし、ローディングユニット１００の再使用を許可し得る。あるいは、ステープルカートリッジ１２０は、ハウジング１１０に固定して付着され、ローディングユニット１００の単回使用のみを可能にする。
【００２１】
図４および図５を引き続き参照すると、ローディングユニット１００のステープルプッシャーアセンブリ１３０は、プッシャーアダプター１３２とプッシャー１３４とを含む。独立した構成要素として示されているが、プッシャーアダプター１３２およびプッシャー１３４が一体的に形成され得ることが想定される。プッシャーアダプター１３２の近位端１３２ａは、ステープラーデバイス（示されない）の作動中、プッシャーアダプター１３２およびプッシャー１３４を第１の位置または近位位置（図５）から第２の位置または遠位位置（示されない）に前進させるための駆動機構（示されない）への動作可能な接続のために構成されている。プッシャー１３４は、ステープル「Ｓ」と整列している複数のプッシャー部材１３６を含み、ステープル「Ｓ」は、ステープルカートリッジ１２０のステープルポケット１２１内に受け取られている。ステープルカートリッジ１２０に対するプッシャー１３４の前進は、ステープルカートリッジ１２０からのステープルの射出をもたらす。
【００２２】
依然として図４および図５を参照すると、ローディングユニット１００のナイフアセンブリ１４０は、ナイフキャリアー１４２と円形ナイフ１４４とを含み、この円形ナイフ１４４は、ナイフキャリアー１４２の遠位端１４２ｂの周りに固定される。ナイフキャリアー１４２の近位端１４２ａは、駆動機構（示されない）との動作可能な接続のために構成され、この駆動機構は、ナイフキャリアー１４２および円形ナイフ１４４を第１の位置または近位位置（図５）から第２の位置または前進位置（示されない）に移動させることにより、ステープルカートリッジ１２０に隣接して配置され、ステープルカートリッジ１２０のステープルの線より内側に配置されている組織（示されない）の切断をもたらす。ナイフキャリアー１４２は、１対の開口部１４５（図５）を規定する。さらに詳細に下に記載されるように、開口部１４５は、シッピングキャップアセンブリ２００のシッピング部材２０２の外側環状延長部２４０の第１の外側レッグ２４６および第２の外側レッグ２４８を受け取るように構成されている。レッジ１４６（図５）は、ナイフキャリアー１４２の遠位端１４２ｂに隣接して配置されている。さらに詳細に下に記載されるように、シッピングキャップアセンブリ２００のシッピング部材２０２の外側環状延長部２４０の第１のシェルフ２４２のリブ２４２ａおよび第２のシェルフ２４４のリブ２４４ａによるレッジ１４６の係合は、ナイフアセンブリ１４０の遠位方向の前進を防止する。
【００２３】
依然として図４および図５を参照すると、チップアセンブリ１６０の環状フランジ１６２は、ブッシング部材１５０の遠位端１５２ｂの周りに受け取られている。ブッシング部材１５０の遠位端１５２ｂは、ブッシング部材１５０の遠位端１５２ｂに形成されている複数のリッジ１５２によって、ハウジング１１０の内側円筒形部分１１４の近位端１１４ａ内に固定されている。ローディングユニット１００のカバー部材１７０は、ハウジング１１０の近位端１１０ａに選択的に固定されている。カバー部材１７０は、アダプターへのリロード／ローディングユニットの固定した取り付けを可能にする１つのタイプの係止カラーである。このカバー部材／係止カラーがあるので、係止部の操作は、取り付けるために必要とされない。カム表面１５３は、部材１７０がわずかに持ち上がり、次にすばやく戻る（ｓｎａｐ  ｂａｃｋ）ことを可能にする。装填解除するために、係止カラー１７０をリロードのシェルから離れるほうへ持ち上げて、使い捨てリロードを再使用可能なアダプター（示されない）から係合解除することが必要である。
【００２４】
次に図６〜図１３に目を向けると、シッピングキャップアセンブリ２００は、シッピング部材２０２と、シッピング部材２０２に選択的に固定されている導入器部材２０４と、シッピング部材２０２内に動作可能に受け取られている係止部材２０６とを含む。シッピング部材２０２は、ベース部分２１０と、ベース部分２１０から遠位方向に延びているフランジ部分２２０と、ベース部分２１０から近位方向に延びている内側環状延長部２３０および外側環状延長部２４０とを含む。１部品の構築であるように、すなわち、一体的または一体式に形成されているように示されているが、ベース部分２１０、フランジ部分２２０、ならびに内側環状延長部２３０および外側環状延長部２４０のうちの任意のもの、または全ては、独立して形成され得、接着剤、溶接を用いて、または任意の他の適切な態様で一緒に固定され得ることが想定される。
【００２５】
示されるように、シッピングキャップアセンブリ２００のシッピング部材２０２のベース部分２１０は、実質的に平らまたは平面の本体を含み、この実質的に平らまたは平面の本体は、円形の形状を有する。ベース部分２１０は、円形の形状を有することが示されているが、ベース部分２１０は、ローディングユニット１００（図３）の断面形状に対応する任意の形状を含み得ることが想定される。ベース部分２１０のステープル保持表面２１２は、外側環状延長部２４０の半径方向に外方に形成され、シッピングキャップアセンブリ２００がローディングユニット１００の遠位端１０２（図３）に受け取られている場合、ローディングユニット１００のステープルカートリッジ１２０に当接することにより、ローディングユニット１００の移送中、ステープル留めデバイス（示されない）の作動ユニット（示されない）へのローディングユニット１００の取り付け中、および患者内でのローディングユニット１００の位置決め中、ステープル「Ｓ」をステープルカートリッジ１２０のステープルポケット１２１（図３）内に保持するように構成されている。ステープル保持表面２１２は、ステープルカートリッジ１２０の形状に対応するように環状であるものとして示されているが、ステープル保持表面２１２は、他の構成のステープルカートリッジに対応するように改変され得ることが想定される。
【００２６】
シッピングキャップアセンブリ２００のシッピング部材２０２のベース部分２１０は、１対のスルーホールまたは開口部２１３を規定し、１対のスルーホールまたは開口部２１３は、導入器部材２０４の突出部２５２を選択的に受け取るように構成されている。ベース部分２１０は、１対の開口部２１３の周りに斜めの部分または角度をつけられた部分２１３ａ（図９）を含み、斜めの部分または角度をつけられた部分２１３ａは、１対の開口部２１３の中への突出部２５２の受け取りを容易にする。ベース部分２１０は、１対のスロット２１５も規定し、１対のスロット２１５は、フランジ部分２２０の両側に配置されている。さらに詳細に下に記載されるように、スロット２１５は、係止部材２０６のレッグ部分２６２を受け取るように構成されている。
【００２７】
シッピングキャップアセンブリ２００のシッピング部材２０２のフランジ部分２２０は、ベース部分２１０から遠位方向に延び、導入器部材２０４内に選択的に受け取られるように構成されている。フランジ部分２２０はまた、ユーザーによるシッピングキャップアセンブリ２００のシッピング部材２０２の係合を容易にするために構成され得る。示されるように、シッピング部材２０２のフランジ部分２２０は、実質的に平面であり、実質的に三角形の断面プロフィールを含むが、フランジ部分２２０は、シッピングキャップアセンブリ２００の導入器部材２０４内での受け取りのために適した任意の構成、および／またはユーザーによるシッピング部材２０２の係合を容易にするために適した任意の構成を含み得る。例えば、いくつかの実施形態において、フランジ部分２２０は、リッジ（示されない）および／または切欠き（示されない）を含む。
【００２８】
図６〜図１３を引き続き参照すると、シッピングキャップアセンブリ２００のシッピング部材２０２の内側環状延長部２３０は、ローディングユニット１００のハウジング１１０の内側円筒形部分１１４（図１９）内に選択的に受け取られるように構成されている。内側環状延長部２３０は、円筒形の本体２３２と、円筒形の本体２３２から近位方向に延びている第１のレッグ２３４および第２のレッグ２３６とを含む。円筒形の本体２３２ならびに第１のレッグ２３４および第２のレッグ２３６は、長手方向ボア２３３を規定し、この長手方向ボア２３３は、係止部材２０６の受け取りのために構成されている。第１の内側レッグ２３４および第２の内側レッグ２３６は、それぞれ、自由端２３４ａ、２３６ａを含み、自由端２３４ａ、２３６ａは、互いに向かって半径方向に内方に曲がるように構成されている。突起部２３８は、第１のレッグ２３４の自由端２３４ａおよび第２のレッグ２３６の自由端２３６ａの各々から半径方向に外方に延びている。さらに詳細に下に記載されるように、突起部２３８は、シッピングアセンブリ２００が、ローディングユニット１００の遠位端１０２に受け取られている場合、ローディングユニット１００のハウジング１１０の内側円筒形部分１１４の内側表面に形成されているリッジ１１６の近位端１１６ａ（図５）を選択的に係合するように構成されている。
【００２９】
シッピングキャップアセンブリ２００のシッピング部材２０２の外側環状延長部２４０は、内側環状延長部２３０から半径方向に間隔が空けられ、ローディングユニット１００のハウジング１１０の内側円筒形部分１１４の周りに選択的に受け取られるように構成されている。内側延長部２３０および外側延長部２４０は、同軸である。外側環状延長部２４０は、第１のシェルフ２４２および第２のシェルフ２４４と、第１の外側レッグ２４６および第２の外側レッグ２４８とを含む。第１のシェルフ２４２が第１の外側レッグ２４６と一体的に形成されていることが示され、第２のシェルフ２４４が第２の外側レッグ２４８と一体的に形成されていることが示されているが、第１のシェルフ２４２、および第１の外側レッグ２４６、および第２のシェルフ、および第２の外側レッグ２４８は、外側環状延長部２４０の別個の部分を形成し得る。さらに、外側環状延長部２４０は、２つのシェルフ２４２、２４４および２つの外側レッグ２４６、２４８を有することが示されているが、外側環状延長部２４０が、環状シェルフ、単一のシェルフ、または複数のシェルフを含み得ること、および単一のレッグまたは複数のレッグを含み得ることが想定される。
【００３０】
第１のシェルフ２４２および第２のシェルフ２４４の各々は、リブ２４２ａ、２４４ａを含み、リブ２４２ａ、２４４ａは、レッジ１４６（図２０）を係合するように構成され、このレッジ１４６は、ローディングユニット１００のナイフアセンブリ１４０のナイフキャリアー１４２の遠位端１４２ａに隣接して配置されている。第１のシェルフ２４２および第２のシェルフ２４４の各々は、各々が１対のリブ２４２ａ、２４４ａを有するように示されているが、単一のリブのみ、または複数のリブを有し得ることが想定される。第１のシェルフ２４２および第２のシェルフ２４４は、代わりに、ナイフアセンブリ１４０のナイフキャリアー１４２のレッジ１４６を係合するための厚くなった部分を第１のシェルフ２４２および第２のシェルフ２４４の一部または全てに沿って含み得ることがさらに想定される。第１の外側レッグ２４６および第２の外側レッグ２４８の各々は、シッピングキャップアセンブリ２００がローディングユニット１００の遠位端１０２に受け取られている場合、それらの自由端２４６ａ、２４８ａが、ローディングユニット１００のプッシャーアセンブリ１３０（図１９）のプッシャーアダプター１３２を係合するように構成されている。
【００３１】
依然として図６〜図１３を参照すると、シッピングキャップアセンブリ２００の導入器部材２０４は、実質的に円錐形の本体２５０を含む。突出部２５２は、円錐形の本体２５０の近位端２５０ａから近位方向に延びている。突出部２５２の近位端２５２ａは、ベース部分２１０における開口部２１３内での突出部２５２の受け取りを容易にするためにテーパをつけられている。各突出部２５２は、タブ２５４を含み、このタブ２５４は、導入器部材２０４をシッピング部材２０２に選択的に固定するために、突出部２５２がベース部分２１０における開口部２１３を通して受け取られている場合、シッピング部材２０２のベース部分２１０を摩擦で係合するように構成されている。図１２に手短に目を向けると、各突出部２５２の中心線「ｃ１」は、シッピング部材２０２のベース部分２１０における各開口部２１３の中心線「ｃ２」から側方に間隔が空けられている。この態様において、シッピング部材２０２のベース部分２１０における開口部２１３内での導入器部材２０４の突出部２５２の受け取りは、突出部２５２を半径方向に外方に付勢し、それにより、突出部２５２におけるタブ２５４とベース部分２１０との係合を確実にする。シッピング部材２０２からの導入器部材２０４の分離は、タブ２５４がシッピング部材２０２のベース部分２１０から係合解除することを可能にするために、中心線「ｃ１」、「ｃ２」の側方間隔によって生み出される付勢力を克服することを必要とする。
【００３２】
シッピングキャップアセンブリ２００の導入器部材２０４は、長手方向スロット２５３、および円錐形の本体２５０の近位端２５０ａにおける環状ボア２５５を規定する。長手方向スロット２５３は、導入器部材２０４が、シッピング部材２０２と係合される場合、シッピング部材２０２のフランジ部分２２０を受け取るように構成され、環状ボア２５５は、係止部材２０６が遠位位置（図３）にある場合、係止部材２０６のレッグ２６２を受け取るように構成されている。導入器部材２０４は、円錐形の本体２５０の遠位端２５０ｂにおけるスルーボア２５７をさらに規定し、このスルーボア２５７は、ローディングユニット１００からのシッピングキャップアセンブリ２００の分離後、体腔（示されない）内からシッピングキャップアセンブリ２００を回収するために、縫合糸、ワイヤー「ｗ」（図２１）、コード、または他の手段を受け取るように構成されている。
【００３３】
依然として図６〜図１３を参照すると、シッピングキャップアセンブリ２００の係止部材２０６は、実質的に円筒形の本体２６０を含み、この実質的に円筒形の本体２６０は、近位端２６０ａにおける切欠き２６１を規定し、遠位端２６０ｂから延びている１対のレッグ２６２を有する。各レッグ２６２は、各自由端２６２ａから半径方向に外方に延びている突起部２６４を含み、この突起部２６４は、レッグ２６２がスロット２１５内に受け取られると、レッグ２６２の自由端２６２ａがシッピング部材２０２のベース部分２１０におけるスロット２１５を通って後退することを防止するように構成されている。係合表面２６６が、レッグ２６２の接続されている端２６２ｂの間に形成され、係止部材２０６が遠位位置にある場合、シッピングキャップ２０２のベース部分２１０を係合するように構成されている。長手方向リブ２６８（図１１）が、円筒形の本体２６０の外側表面に沿って延びており、シッピング部材２０２の内側環状延長部２３０の円筒形の本体２３２の内側表面との摩擦を生み出すことにより、内側環状延長部２３０に対して係止部材２０６を保持することを助けるように構成されている。
【００３４】
シッピングキャップアセンブリ２００の係止部材２０６は、長手方向ボア２３３内にスライド可能に受け取られ、この長手方向ボア２３３は、第１の内側レッグ２３４および第２の内側レッグ２３６、ならびにシッピング部材２０２の内側環状延長部２３０の円筒形の本体２３２によって規定される。係止部材２０６が長手方向ボア２３２内に受け取られている場合、係止部材２０６のレッグ２６２の自由端２６２ａは、ベース部分２１０におけるスロット２１５を通って延びている。上で言及されるように、レッグ２６２の自由端２６２ａに形成されている突起部２６４は、レッグ２６２がスロット２１５を通って後退することを防止する。第１の位置または係止されていない位置（図３）において、係止部材２０６は、近位位置にある。第２の位置または係止された位置（図６）において、係止部材２０６は、遠位位置にあり、この遠位位置において、円筒形の本体２６０の近位端２６０ａに形成されている切欠き２６１は、シッピング部材２０２の内側環状延長部２３０の第１のアーム２３４および第２のアーム２３６の自由端２３４ａ、２３６ａに隣接して配置されている。
【００３５】
次に、ローディングユニット１００へのシッピングキャップアセンブリ２００の取り付けが、図１４〜図２０を参照して記載される。図１４を最初に参照すると、シッピングキャップアセンブリ２００のシッピング部材２０２および係止部材２０６が示されており、係止部材２０６は、第１の位置または係止されていない位置にある。係止されていない位置において、係止部材２０６は、シッピング部材２０２の内側環状延長部２３０によって形成されている長手方向の通路２３３内の遠位位置にあり、係止部材２０６のレッグ２６２は、係止部材２０６のレッグ２６２の接続されている端２６２ｂの間に形成されている係止部材２０６の係合表面２６６がベース部分２１０を係合するように、シッピング部材２０２のベース部分２１０におけるスロット２１５を通って完全に受け取られている。ローディングユニット１００へのシッピングキャップアセンブリ２００のシッピング部材２０２の取り付け前、導入器部材２０４は、シッピング部材２０２から分離されている。
【００３６】
依然として図１４を参照すると、シッピングキャップアセンブリ２００のシッピング部材２０２および係止部材２０６は、ローディングユニット１００とともに位置決めされ、シッピング部材２０２の内側環状延長部２３０の第１の内側レッグ２３４および第２の内側レッグ２３６、ならびに内側環状延長部２３０の通路２３３内に受け取られている係止部材２０６の円筒形の本体２６０は、ローディングユニット１００のハウジング１１０の内側円筒形部分１１４と軸方向に整列させられている。シッピング部材２０２は、次に、矢印「Ａ」によって示されるように、ローディングユニット１００に対して長手方向に前進させられ、その結果、シッピング部材２０２の内側環状延長部２３０の第１の内側レッグ２３４および第２の内側レッグ２３６、ならびに係止部材２０６の円筒形の本体２６０は、ローディングユニット１００のハウジング１１０の内側円筒形部分１１４内に受け取られる。シッピング部材２０２の第１の内側レッグ２３４および第２の内側レッグ２３６がローディングユニット１００の内側円筒形部分１１４内で近位方向に前進させられる場合、ハウジング１１０の内側円筒形部分１１４内に形成されているリッジ１１６との第１のレッグ２３４の自由端２３４ａおよび第２のレッグ２３６の自由端２３６ａ（より詳しくは、自由端２３４ａ、２３６ａに形成されている突起部２３８）との係合は、第１の内側レッグ２３４の自由端２３４ａおよび第２の内側レッグ２３６の自由端２３６ａが、矢印「Ｂ」によって示されるように、互いに向かって半径方向に内方に曲がることをもたらす。
【００３７】
図１５〜図２０に目を向けると、ローディングユニット１００に取り付けられているシッピングキャップアセンブリ２００が示されている。ローディングユニット１００に取り付けられている場合、シッピング部材２０２のベース部分２１０のステープル保持表面２１２は、ステープルカートリッジ１２０に当接することにより、ステープル「Ｓ」をステープルポケット１２１内に保持し、第１のシェルフ２４２（図２０）および第２のシェルフ２４４（図２０）は、ハウジング１１０の内側円筒形部分１１４の周りに受け取られ、外側環状延長部２４０の第１の外側レッグ２４６（図１９）および第２の外側レッグ２４８（図１９）は、ナイフキャリアー１４２に形成されている開口部１４５を通して受け取られている。さらに、第１のレッグ２３４の自由端２３４ａおよび第２のレッグ２３６の自由端２３６ａは、ハウジング１１０の内側円筒形部分１１４内に形成されているリッジ１１６の近位端１１６ａを近位方向に越えて延びている。従って、第１のレッグ２３４の自由端２３４ａおよび第２のレッグ２３６の自由端２３６ａは、曲げられていない状態に戻ることができる。
【００３８】
図１５および図１６を特に参照すると、シッピング部材２０２の内側環状延長部２３０の第１のレッグ２３４の自由端２３４ａおよび第２のレッグ２３６の自由端２３６ａが、曲げられていない状態に戻る場合、各自由端２３４ａ、２３６ａに形成されている突起部２３８は、ローディングユニット１００のハウジング１１０の内側円筒形部分１１４のリッジ１１６の近位端１１６ａを係合する。図１６における矢印「Ｃ」によって示されるように、曲げられていない位置への第１のレッグ２３４の自由端２３４ａおよび第２のレッグ２３６の自由端２３６ａの戻りは、矢印「Ｄ」によって示されるような、近位方向への係止部材２０６の円筒形の本体２６０の長手方向移動によって容易にされる。係止部材２０６は、円筒形の本体２６０のレッグ２６２の自由端２６２ａの係合を通して近位方向に移動させられる。導入器部材２０６がシッピング部材２０２に固定されている場合に、シッピングキャップアセンブリ２００の導入器部材２０６が、レッグ２６２の自由端２６２ａを係合するように構成され得ることが想定されるが、実施形態において、係止部材２０６は、シッピング部材２０２への導入器部材２０６の取り付け前に近位位置に移動させられる。
【００３９】
近位方向への係止部材２０６の移動は、シッピング部材２０２をローディングユニット１００に固定する。特に、内側環状延長部２３０の第１のレッグ２３４の自由端２３４ａおよび第２のレッグ２３６の自由端２３６ａとの係止部材２０６の円筒形の本体２６０の近位端２６０ａの係合は、レッグ２３４の自由端２３４ａおよびレッグ２３６の自由端２３６ａが、曲げられていない位置に戻ることを確実にし、それにより、各自由端２３４ａ、２３６ａに形成されている突起部２３８が、リッジ１１６の近位端１１６ａを係合することをさらに確実にする。ハウジング１１０の内側円筒形部分１１４に形成されているリッジ１１６の近位端１１６ａとの突起部２３８の係合は、シッピング部材２０２をローディングユニット１００に固定する。
【００４０】
係止部材２０６の円筒形の本体２６０の近位端２６０ａがレッグ２３４の自由端２３４ａとレッグ２３６の自由端２３６ａとの間に位置決めされたままである限り、第１のレッグ２３４の自由端２３４ａおよび第２のレッグ２３６の自由端２３６ａは、半径方向に内方に曲がることを防止される。レッグ２３４、２３６の自由端２３４ａ、２３６ａが内方に曲がることを防止されているので、自由端２３４ａ、２３６ａに形成されている突起部２３８は、リッジ１１６の近位端１１６ａと接触したままであり、それにより、シッピング部材２０２がローディングユニット１００に固定されたままであることを確実にする。係止部材２０６の円筒形の本体２６０のレッグ２６２の自由端２６２ａに形成されている突起部２６４は、シッピング部材２０２のベース部分２１０を係合することにより、係止部材２０６の円筒形の本体２６０をシッピング部材２０２に対して維持する。
【００４１】
図１７を特に参照すると、上で言及されるように、シッピングキャップアセンブリ２００のシッピング部材２０２がローディングユニット１００に取り付けられている場合、シッピングキャップアセンブリ２００のシッピング部材２０２の外側環状延長部２４０の第１の外側レッグ２４６および第２の外側レッグ２４８は、ローディングユニット１００のナイフアセンブリ１４０のナイフキャリアー１４２において形成されている開口部１４５を通って受け取られている。図１９に目を向けると、外側レッグ２４６、２４８の各々は、ナイフキャリアー１４２の開口部１４５を通って受け取られている場合、プッシャーアセンブリ１３０のプッシャー部材１３２を係合する。外側レッグ２４６、２４８によるプッシャー部材１３２の係合は、シッピング部材２０２がローディングユニット１００に固定されている限り、プッシャー部材１３２の長手方向移動を防止する。
【００４２】
次に図２０を参照すると、上で言及されるように、シッピングキャップアセンブリ２００のシッピング部材２０２が、ローディングユニット１００に取り付けられている場合、第１のシェルフ２４２および第２のシェルフ２４４は、ハウジング１１０の内側円筒形部分１１４の周りに受け取られている。第１のシェルフ２４２および第２のシェルフ２４４に形成されているリブ２４２ａ、２４４ａは、レッジ１４６を係合し、レッジ１４６は、ローディングユニット１００のナイフアセンブリ１４０のナイフキャリアー１４２の遠位端１４２ｂに隣接して配置されている。第１のシェルフ２４２および第２のシェルフ２４４のリブ２４２ａ、２４４ａによるナイフキャリアー１４２の係合は、シッピング部材２０２がローディングユニット１００に固定されている限り、ナイフキャリアー１４２の長手方向移動を防止する。
【００４３】
シッピングキャップアセンブリ２００のシッピング部材２０２がローディングユニット１００に固定されると、導入器部材２０４が、シッピング部材２０２に固定され得る。あるいは、ローディングユニット１００は、導入器部材２０４なしで使用され得る。導入器部材２０６は、上に記載される態様でシッピング部材２０２に固定される。特に、導入器部材２０４は、シッピング部材２０２のフランジ２２０が導入器部材２０４の本体２５０に形成されている長手方向スロット２５３と整列させられるように、シッピング部材２０２に対して位置決めされる。導入器部材２０４は、次に、フランジ２２０が長手方向スロット２５３内に受け取られるように、シッピング部材２０２に対して長手方向に前進させられる。導入器部材２０４がシッピング部材２０２に対して前進させられる場合、導入器部材２０４の円錐形の本体２５０の近位端２５０ａから延びている突出部２５２は、シッピング部材２０２のベース２１０に形成されている開口部２１３内に受け取られる。ベース２１０の傾斜させられた部分２１３ａおよび突出部２５２のテーパをつけられた近位端２５２ａは、開口部２１３内での突出部２５２の受け取りを容易にする。各突出部２５２に形成されているタブ２５４、ならびに突出部２５２および開口部２１３の中心線「ｃ１」、「ｃ２」（図１２）のずれた位置決めは、導入器部材２０４がシッピング部材２０２に固定されたままであることを確実にする。
【００４４】
ローディングユニット１００は、前もって取り付けられているシッピングキャップアセンブリ２００とともに臨床家に提供されることが想定されるが、シッピングキャップアセンブリ２００は、ローディングユニット１００と別個に、臨床家に提供され得る。上で言及されるように、シッピングキャップアセンブリ２００の導入器部材２０４は、シッピング部材２０２に取り付けられ得るか、またはシッピング部材２０２への取り付けを必要とし得る。シッピングキャップアセンブリ２００は、代替の構成を有する１つ以上の導入器部材を有するキットとして提供され得ることが想定される（例えば、図２４を参照のこと）。シッピングキャップアセンブリは、導入器部材なしで提供され得ることも想定される（図２６）。
【００４５】
ローディングユニット１００は、ステープル留めデバイス（示されない）の作動ユニット（示されない）、またはステープル留めデバイス（示されない）の作動ユニット（示されない）に接続されているアダプターアセンブリ（示されない）に任意の慣習的な態様で固定され得る。上で議論されるように、１つの実施形態において、ローディングユニット１００は、差込みカップリングを用いてアダプターアセンブリに固定される。作動ユニットに取り付けられると、ローディングユニット１００は、慣習的な態様で患者の体腔内に位置決めされる。ローディングユニット１００の位置決めは、切開またはアクセスポートを通した位置決めであり得るか、または任意の他の態様での位置決めであり得る。シッピングキャップアセンブリ２００の導入器部材２０４は、ローディングユニット１００の位置決めを容易にする。シッピングキャップアセンブリ２００を回収するワイヤー「ｗ」（図２１）、コード、縫合糸、または任意の手段は、ローディングユニット１００の位置決め前、導入器部材２０４の円錐形の本体２５０の遠位端２５０ｂに形成されているスルーボア２５７を用いてシッピングキャップアセンブリ２００に固定され得る。
【００４６】
シッピングキャップアセンブリは、フランジ２２０を有するシッピング部材２０２を有することに留意のこと。フランジ２２０は、導入器部材２０４の円錐形の本体２５０内の内部空間に対応するテーパをつけられた形状を有する。スロット２５３は、フランジ２２０を受け取り、シッピング部材を導入器部材に接続するために提供され得る。さらに、シッピング部材は、移動可能な係止部材２０６を有し、この移動可能な係止部材２０６は、シッピング部材をローディングユニット１００に固定する。例えば、係止部材２０６は、ローディングユニットにおけるシッピング部材の位置を係止するために、近位方向に移動可能であり得る。本明細書中に開示される実施形態のうちの任意のものにおいて、ローディングユニットと、導入器部材と、予め取り付けられているシッピング部材とを有するキットが企図される。ローディングユニットは、異なるサイズで提供され得、より詳しくは、ステープルの線が、異なる直径を有する。導入器部材およびシッピング部材は、肥満治療外科手術手順において頻繁に使用されるサイズのものについて、予め取り付けられている状態で提供され得、異なるサイズのローディングユニット（例えば、結腸直腸外科手術手順のために頻繁に使用されるもの）においては提供されない場合がある。シッピング部材の別の潜在的な利益は、装填安全性である。リロードの激しい操作は、ステープルおよび／またはナイフの早すぎる移動をもたらし得るが、シッピング部材は、ステープルまたはナイフがユーザーに接触する危険性なく、ユーザーの手がリロード／ローディングユニットの上に人間工学的に置かれることを可能にする。
【００４７】
次に図２１を参照すると、シッピングキャップアセンブリ２００は、患者の体腔内に位置決めされると、アンビルアセンブリ（示されない）がローディングユニット１００に取り付けられ得る前、および組織（示されない）がステープル留めされ得る前に、ローディングユニット１００から分離される。ローディングユニット１００からのシッピングキャップアセンブリ２００の分離は、矢印「Ｅ」によって示されるような、係止部材２０６の近位端２６０との係合へのトロカール「Ｔ」の遠位方向の前進を通して達成される。トロカール「Ｔ」の引き続きの遠位方向の前進は、遠位位置への係止部材２０６の移動をもたらす。係止部材２０６が遠位位置にある場合、係止部材２０６の円筒形の本体２６０の近位端２６０ａは、もはやシッピング部材２０２の内側環状延長部２３０の第１のレッグ２３４の自由端２３４ａと第２のレッグ２３６の自由端２３６ａとの間に位置決めされていない。従って、第１のレッグ２３４の自由端２３４ａおよび第２のレッグ２３６の自由端２３６ａは、半径方向に内方に曲がることができる。
【００４８】
係止部材２０６の円筒形の本体２６０の接続されている端２６２ｂの間に形成されている切欠き２６６がシッピング部材２０２のベース２１０を係合すると、ローディングユニット１００に対するトロカール「Ｔ」の引き続きの遠位方向の移動は、シッピングキャップアセンブリ２００のシッピング部材２０２に力を及ぼす。第１のレッグ２３４の自由端２３４ａおよび第２のレッグ２３６の自由端２３６ａは、もはや半径方向に内方に曲がることを防止されていないので、トロカール「Ｔ」の遠位方向の移動を通してシッピング部材２０２に及ぼされる力は、第１のレッグ２３４の自由端２３４ａおよび第２のレッグ２３６の自由端２３６ａが半径方向に内方に曲がることをもたらす。第１のレッグの自由端２３４ａおよび第２のレッグの自由端２３６ａの屈曲は、自由端２３４ａ、２３６ａの各々に形成されている突起部２３８がローディングユニット１００のハウジング１１０の内側円筒形部分１１４に形成されているリッジ１１６の近位端１１６ａから係合解除することをもたらす。この態様において、シッピングキャップアセンブリ２００のシッピング部材２０２は、もはやローディングユニット１００に固定されていない。トロカール「Ｔ」の引き続きの遠位方向の移動は、シッピング部材２０２がローディングユニット１００から分離することをもたらす。
【００４９】
ローディングユニット１００からのシッピングキャップアセンブリ２００のシッピング部材２０２の分離が完了すると、ローディングユニット１００は、組織をステープル留めするための慣習的な態様で使用され得る。シッピングキャップアセンブリ２００は、ワイヤー「ｗ」を用いて、または任意の他の適切な態様で体腔（示されない）内から回収され得る。
【００５０】
導入器部材は、体腔へのデバイスの挿入を助けるために、シッピングキャップとともに使用される。器具ヘッドが、作動空間の中に入ると、導入器部材およびシッピング部材は、上で議論されるように、デバイスから放出され得る。導入器部材およびシッピング部材は、除去のための縫合糸によって保持されている。
【００５１】
図２２および図２３を参照すると、本開示に従うシッピングアセンブリの代替の実施形態が、全体的にシッピングキャップアセンブリ３００として示されている。シッピングキャップアセンブリ３００は、上に記載されるシッピングキャップアセンブリ２００と実質的に同様であるが、シッピングキャップアセンブリ３００は、導入器アセンブリを含まない。この態様において、シッピングキャップアセンブリ３００のシッピング部材３０２のベース部分３１０は、導入器アセンブリの突出部を受け取るための開口部を含まない。シッピングキャップアセンブリ３００は、シッピングキャップアセンブリ２００がローディングユニット１００に取り付けられ、ローディングユニット１００から分離されるのと同じ態様で、ローディングユニット１００に取り付けられ、ローディングユニット１００から分離される。
【００５２】
次に図２４〜図２６を参照すると、本開示に従うシッピングアセンブリの別の実施形態が、全体的にシッピングキャップアセンブリ４００として示されている。シッピングキャップアセンブリ４００は、シッピングキャップアセンブリ２００と実質的に同様であり、それらの間の違いに関して記載されるのみである。シッピング部材２０２（図３）と別個の導入器部材２０４（図３）とを含むシッピングキャップアセンブリ２００と違って、シッピングキャップアセンブリ４００のシッピング部材４０２は、ベース部分４１０と一体的に形成されている導入器部分４０４を含む。導入器部分４０４は、シッピング部材４０２のベース部分４１０と一体的に形成されているように示されているが、導入器部分４０４は、接着剤、機械的ファスナーを用いて、または任意の他の適切な態様でベース部分４１０にしっかり固定され得ることが想定される。
【００５３】
引き続き図２４〜図２６を参照すると、シッピング部材４０２の導入器部分４０４は、実質的に円錐形の本体４５０を規定し、この実質的に円錐形の本体４５０は、そこから延びている１対の長手方向スロット４５１と、その外側表面に沿って形成されている複数の切り抜き４５３とを規定する。長手方向スロット４５１は、係止部材４０６の円筒形本体４６０の遠位端４６０ｂに形成されているレッグ４６２を受け取るように構成されている。長手方向スロット４５１は、ローディングユニット１００へのシッピングキャップアセンブリ４００の取り付け中、係止部材４０６を遠位位置（示されない）から近位位置（図２６）に移動させる目的でレッグ４６２へのアクセスを許可するために、導入器部分４０４の円錐形の本体４５０を完全に通して延びている。導入器アセンブリ４０４の円錐形の本体４５０における切り抜き４５３は、ユーザーによる動作可能な係合を容易にするように構成され得る。あるいは、および／またはさらに、切り抜き４５３は、体腔（示されない）へのローディングユニット１００の挿入を容易にするように構成され得る。
【００５４】
シッピングキャップアセンブリ４００は、シッピングキャップアセンブリ２００がローディングユニット１００に取り付けられているのと実質的に同じ態様でローディングユニット１００に取り付けられているが、上で言及されるように、導入器部分４５０は、シッピング部材４０２のベース部分４１０と一体的に形成され、従って、導入器部分４５０は、独立してベース部分４１０に固定されるべき必要はない。さらに、係止部材４０６を遠位位置（示されない）から近位位置（図２６）に移動させて、シッピング部材４０２をローディングユニット１００に固定するための係止部材４０６の円筒形本体４６０のレッグ４６２へのアクセスは、導入器部分４０４の円錐形の本体４５０の中に形成されている長手方向スロット４５１を通して行われる。
【００５５】
本開示の例示的実施形態が、添付の図面を参照して本明細書中に記載されてきたが、本開示は、それらの正確な実施形態に限定されないこと、ならびに様々な他の変更および改変が、本開示の範囲または趣旨から外れることなく、当業者によってその中で達成され得ることが理解されるべきである。
【図１】
0006567899.tif 000002
【図２】
0006567899.tif 000003
【図３】
0006567899.tif 000004
【図４】
0006567899.tif 000005
【図５】
0006567899.tif 000006
【図６】
0006567899.tif 000007
【図７】
0006567899.tif 000008
【図８】
0006567899.tif 000009
【図９】
0006567899.tif 000010
【図１０】
0006567899.tif 000011
【図１１】
0006567899.tif 000012
【図１２】
0006567899.tif 000013
【図１３】
0006567899.tif 000014
【図１４】
0006567899.tif 000015
【図１５】
0006567899.tif 000016
【図１６】
0006567899.tif 000017
【図１７】
0006567899.tif 000018
【図１８】
0006567899.tif 000019
【図１９】
0006567899.tif 000020
【図２０】
0006567899.tif 000021
【図２１】
0006567899.tif 000022
【図２２】
0006567899.tif 000023
【図２３】
0006567899.tif 000024
【図２４】
0006567899.tif 000025
【図２５】
0006567899.tif 000026
【図２６】
0006567899.tif 000027